(57)【要約】【課題】  信号端子に対する受電接触子の接触が防止される配線ダクトシステムを提供する。【解決手段】  配線ダクト２と配線ダクト２に接続されるプラグ３とを備える。配線ダクト２は、溝状であってプラグ３が挿入される接続凹部２１０を有するダクト本体２１と、それぞれ接続凹部２１０内においてダクト本体２１に固定された給電端子２２および信号端子２３とを備える。配線ダクト２において、信号端子２３は、給電端子２２よりも接続凹部２１０の深さ方向の奥側においてダクト本体２１に固定されている。信号端子２３に接触する信号接触子３３を有さず給電端子２２に接触する受電接触子３２のみを有するプラグ３が接続された場合であっても、信号端子２３に対する受電接触子３２の接触が防止される。【選択図】図１
2014022137.tif 000002
【特許請求の範囲】
【請求項１】
配線ダクトと前記配線ダクトに接続されるプラグとを備える配線ダクトシステムであって、
前記配線ダクトは、溝状であって前記プラグが挿入される接続凹部を有するダクト本体と、それぞれ前記接続凹部内において前記ダクト本体に固定された給電端子および信号端子とを備え、
前記プラグとしては、前記給電端子に接触導通する受電接触子と前記信号端子に接触導通する信号接触子との両方を有するものと、前記信号接触子を有さず前記受電接触子のみを有するものとがあり、
前記信号端子は、前記給電端子よりも前記接続凹部の深さ方向の奥側において前記ダクト本体に固定されていることを特徴とする配線ダクトシステム。
【請求項２】
前記配線ダクトと直流電源との接続に用いられる電源カプラを備え、
前記電源カプラは、前記直流電源に電気的に接続されるとともに前記給電端子に接触導通する給電接触子を有し、
前記給電端子及び前記受電接触子及び前記給電接触子としては、それぞれ、前記直流電源の前記直流電源の高電圧側の出力端に電気的に接続される高電圧側のものと、前記直流電源の低電圧側の出力端に電気的に接続される低電圧側のものとが設けられていて、
前記電源カプラは、アノードが低電圧側の前記給電接触子に電気的に接続されるとともにカソードが高電圧側の前記給電接触子に電気的に接続されたダイオードと、一端が低電圧側の前記給電接触子に電気的に接続されるとともに他端が高電圧側の前記給電接触子に電気的に接続されたバリスタとの、少なくとも一方を備えることを特徴とする請求項１記載の配線ダクトシステム。
【発明の詳細な説明】
【技術分野】
【０００１】
本発明は、配線ダクトシステムに関するものである。
【背景技術】
【０００２】
従来から、溝状の接続凹部を有する配線ダクトと接続凹部に挿入接続されるプラグとを備える配線ダクトシステムが提供されている。接続凹部内には電力が伝送される給電端子が配置され、プラグには給電端子に接触導通する受電接触子が設けられる。上記のプラグは、例えば、給電端子と受電接触子とを介して入力された電力により光源を点灯させる照明器具に設けられる。
【０００３】
さらに、遠隔制御用の信号が伝送される信号端子が配線ダクトに設けられるとともに、プラグには上記の信号端子に接触導通する信号接触子が設けられた配線ダクトシステムもある（例えば、特許文献１参照）。例えば、プラグが照明器具に設けられる場合、上記の信号に従って行われる制御としては、点灯・消灯の切替や、光出力の変更などが考えられる。
【先行技術文献】
【特許文献】
【０００４】
【特許文献１】特開昭５７−２１１９２１号公報
【発明の概要】
【発明が解決しようとする課題】
【０００５】
ところで、上記のように信号端子を有する配線ダクトに対してであっても、信号接触子を有さず受電接触子のみを有するプラグが接続される場合がある。このような場合に、仮に、信号端子が給電端子よりも接続凹部の開口側に配置されていると、受電接触子が信号端子に接触したときに接続が完了したものと誤認されてしまう可能性が生じる。
【０００６】
本発明は、上記事由に鑑みて為されたものであり、その目的は、信号端子に対する受電接触子の接触が防止される配線ダクトシステムを提供することにある。
【課題を解決するための手段】
【０００７】
本発明の配線ダクトシステムは、配線ダクトと前記配線ダクトに接続されるプラグとを備える配線ダクトシステムであって、前記配線ダクトは、溝状であって前記プラグが挿入される接続凹部を有するダクト本体と、それぞれ前記接続凹部内において前記ダクト本体に固定された給電端子および信号端子とを備え、前記プラグとしては、前記給電端子に接触導通する受電接触子と前記信号端子に接触導通する信号接触子との両方を有するものと、前記信号接触子を有さず前記受電接触子のみを有するものとがあり、前記信号端子は、前記給電端子よりも前記接続凹部の深さ方向の奥側において前記ダクト本体に固定されていることを特徴とする。
【０００８】
上記の配線ダクトシステムにおいて、前記配線ダクトと直流電源との接続に用いられる電源カプラを備え、前記電源カプラは、前記直流電源に電気的に接続されるとともに前記給電端子に接触導通する給電接触子を有し、前記給電端子及び前記受電接触子及び前記給電接触子としては、それぞれ、前記直流電源の前記直流電源の高電圧側の出力端に電気的に接続される高電圧側のものと、前記直流電源の低電圧側の出力端に電気的に接続される低電圧側のものとが設けられていて、前記電源カプラは、アノードが低電圧側の前記給電接触子に電気的に接続されるとともにカソードが高電圧側の前記給電接触子に電気的に接続されたダイオードと、一端が低電圧側の前記給電接触子に電気的に接続されるとともに他端が高電圧側の前記給電接触子に電気的に接続されたバリスタとの、少なくとも一方を備えることが望ましい。
【発明の効果】
【０００９】
本発明によれば、信号端子が給電端子よりも接続凹部の深さ方向の奥側に固定されているので、信号端子に接触する信号接触子を有さず給電端子に接触する受電接触子のみを有するプラグが接続された場合であっても、信号端子に対する受電接触子の接触が防止される。
【図面の簡単な説明】
【００１０】
【図１】（ａ）（ｂ）はそれぞれ本発明の実施形態の要部を示す正面図であり、（ａ）は信号接触子を有するプラグが配線ダクトに接続された状態を示し、（ｂ）は信号接触子を有さないプラグが配線ダクトに接続された状態を示す。
【図２】同上においてプラグが配線ダクトに接続された状態の全体像を示す斜視図である。
【図３】同上の要部を示す回路ブロック図である。
【発明を実施するための形態】
【００１１】
本実施形態は、図２に示すように、照明器具１に設けられるプラグ３と、プラグ３が接続される配線ダクト２とを備える配線ダクトシステムである。なお、図２では照明器具１を１個のみ示しているが、１個の配線ダクト２に２個以上の照明器具１を接続することも可能である。
【００１２】
まず、配線ダクト２について説明する。配線ダクト２は、図１（ａ）（ｂ）及び図３に示すように、直線状に延長された溝状の接続凹部２１０と、接続凹部２１０の幅方向（図１での左右方向）に対向する内面からそれぞれ接続凹部２１０の内側へ突設された内鍔２１１とを有するダクト本体２１を備える。より具体的には、配線ダクト２は、厚さ方向を上下方向に向けて接続凹部２１０の上側の壁を構成する上壁２１２と、それぞれ上壁２１２の左右の一端部ずつから下方へ突設されて厚さ方向を左右方向に向けた２個の側壁２１３とを有する。各内鍔２１１はそれぞれ側壁２１３の下端から左右方向に突設されて厚さ方向を上下方向に向けている。上記のダクト本体２１は、上壁２１２と側壁２１３と内鍔２１１とに跨る断面Ｃ字形状の金属製のコア２１ａの表面が合成樹脂２１ｂで覆われてなる。ダクト本体２１は、上記のようなコア２１ａを備えることで、電磁遮蔽の機能を有する。
【００１３】
以下、上下左右は図１を基準とし、図１の紙面に直交する方向を前後方向と呼ぶ。すなわち、接続凹部２１０はダクト本体２１の下側と前後両側とに開放されており、溝として見た場合の接続凹部２１０の深さ方向は上下方向となり深さ方向の奥側は上側となる。また、内鍔２１１は、接続凹部２１０の左右に対向する内面の下端部から左右方向の内向きに突設されている。
【００１４】
さらに、接続凹部２１０において内鍔２１１の上側（すなわち接続凹部２１０の深さ方向の奥側）で左右に対向する内面には、それぞれ前後方向に延長された凸条である端子保持凸部２１４が突設されている。各端子保持凸部２１４において左右方向の内向きの面にはそれぞれ前後方向に延長された溝状の凹部２１５が上下に並べて２個設けられている。上記の凹部２１５のうち、下側の凹部２１５内には直流電源（図示せず）からプラグ３への給電路となる給電端子２２が固定され、上側の凹部２１５内には照明器具１を制御する信号の伝送に用いられる信号端子２３が固定されている。信号端子２２に伝送される信号がとり得る電圧値の最大値は、給電端子２３に伝送される電力の電圧値よりも低いものとされる。給電端子２２と信号端子２３とは、それぞれ例えば、細長い金属板からなり、インサート成型によってダクト本体２１に保持されている。
【００１５】
次に、照明器具１について説明する。配線ダクト２に対する照明器具１の電気的な接続と機械的な支持とは、それぞれプラグ３において達成される。また、照明器具１は、電気的な光源を保持した灯体４と、プラグ３に対して灯体４を支持する支持アーム５とを有する。上記の光源としては、例えば発光ダイオードや有機ＥＬといった周知の光源を用いることができる。さらに、灯体４には、信号端子２３とプラグ３とを介して入力された信号に従って光源の点灯・消灯の切替や光出力の変更といった制御を行う光源制御回路が収納されている。具体的には例えば信号は電圧値がＨレベルとＬレベルとのいずれかである電圧信号（いわゆるＰＷＭ信号）であって、光源制御回路は例えば信号におけるオンデューティ（つまりＨレベルが占める割合）が高いほど光源の光出力を高くする。光源制御回路において光源の光出力を変更する手段としては、人間の目に点滅として認識されない程度に十分に高い周波数での間欠点灯におけるオンデューティの変更や、光源に入力する電流の電流値の変更など、光源の種別に応じた適宜の手段を採用することができる。上記いずれの場合であっても光源制御回路は周知技術で実現可能であるので、詳細な図示並びに説明は省略する。また、上記の光源制御回路とプラグ３とを電気的に接続する電線等の電路（図示せず）は、支持アーム５内に設けてもよいし、支持アーム５の外側に設けてもよい。
【００１６】
プラグ３は、合成樹脂からなる接触子保持部３１と、それぞれ導電材料からなり接触子保持部３１に保持された受電接触子３２及び信号接触子３３とを有する。受電接触子３２は給電端子２２に一対一に対応して２個設けられ、接触子保持部３１から左右方向の一方ずつに突出している。また、信号接触子３３は信号端子２３に一対一に対応して２個設けられ、受電接触子３２よりも上側において接触子保持部３１から左右方向の一方ずつに突出している。各受電接触子３２と各信号接触子３３とは、それぞれ、接触子保持部３１からの突出寸法を小さくするように弾性変形可能となっており、この弾性変形により接触圧が確保される。また、プラグ３は、受電接触子３２よりも下側において接触子保持部３１から左右方向に突出する鍔部３４を、接触子保持部３１の左右両側にそれぞれ有する。鍔部３４は合成樹脂からなり接触子保持部３１と連続一体に形成されている。
【００１７】
図１（ａ）に示すように配線ダクト２に対するプラグ３の接続が完了した状態（以下、「接続状態」と呼ぶ。）では、各信号接触子３３はそれぞれ１個ずつの信号端子２３に接触導通し、各受電接触子３２はそれぞれ１個ずつの給電端子２２に接触導通する。また、接続状態では、各鍔部３４がそれぞれ一方ずつの内鍔２１１に対し上側（すなわち接続凹部２１０の深さ方向の奥側）から当接することで、配線ダクト２に対するプラグ３の下方への変位が禁止される。さらに、プラグ３は、上記の接続状態で内鍔２１１の下面に当接する連結部３５を有し、連結部３５の下端部においてアーム５に連結されている。
【００１８】
ここで、給電端子２２に伝送される電力や信号端子２３に伝送される信号はそれぞれ直流であるので、給電端子２２や信号端子２３には極性が存在する。そこで、左右逆に接続されること（逆接続）がないように、配線ダクト２とプラグ３とはそれぞれ左右非対称な形状とされている。具体的には、配線ダクト２の右下端部には逆接続防止凸部２１６が下方に突設されている。また、連結部３５は逆接続防止凸部２１６以外の部位において配線ダクト２の下面にほぼ密着する形状とされており、接続の向きが正しいときに逆接続防止凸部２１６を避ける逆接続防止凹部３５１を右上端部に有する。すなわち、逆接続の場合には逆接続防止凸部２１６が連結部３５の上端部に干渉することで、内鍔２１１の上側への鍔部３４等の導入が阻止される。
【００１９】
また、逆接続防止凹部３５１は、プラグ３が接続状態に対し下方から見て反時計回りに９０°回転した状態（以下、「半接続状態」と呼ぶ。）であっても逆接続防止凸部２１６を係入させることが可能な円弧形状とされている。さらに、各鍔部３４は、それぞれ、接続状態においては接触子保持部３１からの突出方向を接続凹部２１０の幅方向に向ける。また、プラグ３は、上端が連結部３５の上面よりも上側に突出するロック位置と、上端が連結部３５の上面から突出しないアンロック位置との間で、連結部３５に対して上下に変位可能な回転止め部３６を備える。さらに、連結部３５と回転止め部３６との間には、回転止め部３６をロック位置に復帰させる復帰ばね（図示せず）が介装されている。
【００２０】
プラグ３を配線ダクト２に接続する際には、復帰ばねのばね力に抗して回転止め部３６をアンロック位置に維持しつつ、接触子保持部３１からの鍔部３４の突出方向を接続凹部２１０の長さ方向に向けて鍔部３４を接続凹部２１０内に導入し、半接続状態とする。その後に、プラグ３を配線ダクト２に対し下方から見て時計回りに回転させれば、プラグ３を接続状態に移行させることができる。プラグ３が接続状態に移行した際には、回転止め部３６が復帰ばねのばね力でロック位置に復帰して内鍔２１１間に挟まることで、配線ダクト２に対するプラグ３の回転であって上下方向に平行な軸周りでの回転が禁止される。
【００２１】
上記構成によれば、信号端子２３が給電端子２２よりも上側（すなわち接続凹部２１０の奥側）に配置されていることで、図１（ｂ）に示すように信号接触子３３を有さないプラグ３が接続されたときに受電接触子３２が信号端子２３に接触してしまうことがない。
【００２２】
また、本実施形態のように、ダクト本体２１が、接続凹部２１０の少なくとも幅方向の両側と深さ方向の奥側とに跨る金属製のコア２１ａを備える場合には、上記のように信号端子２３の位置を給電端子２２の位置よりも接続凹部２１０の奥側として、信号端子２３の位置をなるべく接続凹部２１０の奥側としたほうが、信号端子２３への輻射ノイズの混入が抑えられる。
【００２３】
ここで、図３に示すように、配線ダクト２と直流電源６との接続には、電源カプラ７が用いられる。電源カプラ７は、直流電源６の一方ずつの出力端子に電気的に接続される一対の電源側端子７１１，７１２と、接続凹部２１０内に挿入されて１個ずつの給電端子２２に接触導通する一対の給電接触子７２１，７２２と、電源側端子７１１，７１２と給電接触子７２１，７２２とを一対一に電気的に接続する一対の内部配線７３１，７３２とを有する。内部配線７３１，７３２間には、ダイオード７４とバリスタ７５とが互いに並列に接続されている。
【００２４】
ダイオード７４は、低電圧側の内部配線７３２にアノードが接続され、高電圧側の内部配線７３１にカソードが接続されている。すなわち、直流電源６の出力端子が電源側端子７１１，７１２に対して誤った極性で接続された場合には、ダイオード７４に電流が流れることで、給電端子２２を介して給電接触子７２１，７２２に接続された照明器具１が保護される。
【００２５】
また、バリスタ７５は、電圧が過剰に高い電源に対して電源側端子７１１，７１２が誤って接続されてしまった場合に、給電端子２２を介して給電接触子７２１，７２２に接続された照明器具１を保護するために設けられている。バリスタ７５は、接続される照明器具１の耐圧に応じたものを用いればよい。
【００２６】
なお、電源カプラ７においては、ダイオード７４とバリスタ７５との一方のみを設けてもよいし、他の周知の保護回路や、フィルタ回路を追加してもよい。
【符号の説明】
【００２７】
２  配線ダクト
３  プラグ
７  電源カプラ
２１  ダクト本体
２２  給電端子
２３  信号端子
３２  受電接触子
３３  信号接触子
７４  ダイオード
７５  バリスタ
２１０  接続凹部
７２１  給電接触子（高電圧側）
７２２  給電接触子（低電圧側）
【図１】
2014022137.tif 000003
【図２】
2014022137.tif 000004
【図３】
2014022137.tif 000005